(57)【特許請求の範囲】
【請求項１】
無線局が媒体を介してフレームを送信する無線ネットワークにおいて、無線局からの媒体のアクセスを管理する方法であって、
（ａ）フレーム又は一連のフレームの期間の関数から生じる時間値を生成するステップと、
（ｂ）前記媒体を介して前記フレーム又は前記一連のフレームを送信するステップと、
（ｃ）ステップ（ｂ）の後に、抑制時間がカウントダウンされる間、前記無線局が、前記媒体を介して他のフレーム又は一連のフレームを送信することを抑制するステップと
を含み、前記抑制時間の値が前記時間値を考慮して決定され、前記時間値が、送信される前記フレーム又は一連のフレームの前記期間に実質的に等しい又は比例する、方法。
【請求項２】
前記関数は、前記フレーム又は一連のフレームの前記期間が増加するときに前記時間値も増加するように選択され得る、請求項１に記載の方法。
【請求項３】
前記抑制時間が、前記時間値に等しい延長時間、前記時間値を加えたバックオフ時間、又は競合ウィンドウの最大値に前記時間値を加えたバックオフ時間を含む、請求項１に記載の方法。
【請求項４】
前記フレーム又は一連のフレームが、少なくとも他の無線局により受信されるようにされ、前記抑制時間の値は、前記フレーム又は一連のフレームが前記少なくとも他の無線局により転送されることを求められるときのみ、前記時間値を考慮することにより決定される、請求項１に記載の方法。
【請求項５】
前記抑制時間は、前記時間値に依存する一定の延期時間を含み、前記一定の延期時間は、前記媒体が待機状態であると決定されるとすぐにカウントダウンされる、請求項１に記載の方法。
【請求項６】
前記抑制時間が、前記時間値により向上されるランダムなバックオフ時間を含む、請求項１に記載の方法。
【請求項７】
前記ステップ（ｃ）は、前記抑制時間が前記時間値に依存する待ち時間を含むように行われる、請求項１に記載の方法。
【請求項８】
前記ステップ（ｃ）は、前記抑制時間が前記時間値に依存する待ち時間を含むように行われ、前記媒体がビジー状態であると検出されるとすぐに、前記待ち時間の前記カウントダウンが中断可能である、請求項１に記載の方法。
【請求項９】
前記抑制時間は、一定の延期時間及びランダムなバックオフ時間を更に含み、前記カウントダウンの前記待ち時間の後にカウントダウンされる、請求項７又は８に記載の方法。
【請求項１０】
前記一定の延期時間が、ＩＥＥＥ８０２．１１―２００７標準規格において規定されるＩＦＳである、請求項５又は９に記載の方法。
【請求項１１】
前記ランダムなバックオフ時間が、ＩＥＥＥ８０２．１１―２００７標準規格において規定される、請求項６又は９に記載の方法。
【請求項１２】
前記無線ネットワークが、ＩＥＥＥ８０２．１１ｓ標準規格のドラフトに従うメッシュ無線ネットワークである、請求項１に記載の方法。
【請求項１３】
無線ネットワークの要素であり得る無線局であって、
・前記媒体を介して前記無線ネットワークにフレーム又は一連のフレームを送信する送信機と、
・タイミング処理ユニットと
を有し、該タイミング処理ユニットが、
・送信される前記フレーム又は前記一連のフレームの期間に依存する時間値を生成し、
・前記時間値を含む抑制時間をカウントダウンし、
・前記抑制時間がカウントダウンされる間、前記無線局が前記媒体上で他のフレーム又は一連のフレームを送信することを抑制し、
前記時間値が、送信される前記フレーム又は一連のフレームの前記期間に実質的に等しい又は比例する、無線局。
【請求項１４】
請求項１３に記載の複数の無線局から成る無線ネットワーク。
【請求項１５】
請求項１乃至１２のうちのいずれか一項に記載の方法を実施するコンピュータプログラム。
【発明の詳細な説明】
【技術分野】
【０００１】
本発明は、無線ネットワークにおける無線媒体のアクセスを管理する方法に関する。本発明は、無線ローカルエリアネットワーク（ＷＬＡＮ）、特にＩＥＥＥ８０２．１１ｓ標準規格に基づくメッシュタイプのＷＬＡＮに関する。
【背景技術】
【０００２】
ＩＥＥＥ８０２．１１ｓの標準化委員会グループは、現在、メッシュ用の８０２．１１規格の拡張に取り組んでいる。現在のＩＥＥＥ８０２．１１ｓの標準規格バージョンＤ１．０６（参照してここに組み込まれる）は、ＩＥＥＥ８０２．１１媒体アクセス制御／物理（ＭＡＣ／ＰＨＹ）層を使用するＩＥＥＥ８０２．１１ＷＬＡＮを規定し、これは、自動構成するマルチホップトポロジ上で個々のアドレス指定された配送及びグループのアドレス指定された配送の両方をサポートする。８０２．１１ｓ標準規格に従うメッシュネットワーク、又はいわゆるメッシュは、多数の個々の無線トランシーバ間の無線協力的通信基盤として動作する。
【０００３】
局又はメッシュ点（ＭＰ）は、これらの近隣にある隣接ノードのみと通信するメッシュのノードを規定する。
【０００４】
したがって、ＭＰは、近くのノードから、遠すぎて届かないピアにメッセージデータを伝送するためのリピータとして働く。
【０００５】
更に、無線通信システムでは、通常フレームが同時に送信され得るので、伝送は衝突に弱い。したがって、システムは、通常、衝突の数を減らすように複数の予防手段とともに組み込まれる。
【０００６】
ＩＥＥＥ８０２．１１標準規格の例は、衝突回避（ＣＳＭＡ／ＣＡ）を有する搬送波感知多重アクセスと、送信要求／送信可（ＲＴＳ／ＣＴＳ）の仮想的に伝送された検出プロトコルとを含む。
【０００７】
特にＣＳＭＡ／ＣＡプロトコルは、おそらく衝突が発生する位置において、媒体にアクセスする複数の局間の衝突確率を低下させるように設計される。
【０００８】
このため、送信局に対して、ＣＳＭＡ／ＣＡプロトコルの方法は、物理的（ＰＨＹにより提供される）及び仮想的（ＭＡＣにより提供される）伝送検知機能によって、媒体の状態（すなわち他の局が伝送中かどうか）を決定するため、媒体を検出する。どの機能もビジー状態の媒体を示す場合、媒体は、ビジー状態とみなされ、そうでなければ、待機状態であるとみなされる。
【０００９】
媒体がビジー状態であると決定される場合、局は、現在の伝送が終了するまでこの送信を延期する。
【００１０】
延期した後、又は成功した送信の直後に再び送信を試みる前に、局は、媒体が待機状態である間、ランダムなバックオフ間隔を選択し、バックオフ間隔カウンタを減少させる。
【００１１】
このようなランダムなバックオフ手続きは、ビジーな時間の後に生じ得る媒体の潜在的な伝送衝突を解決するために必要である。ビジーな時間の間、媒体が利用可能になるのを複数の局が待っていることがあり得るので、このとき、実際に高い衝突の確率がある。それゆえ、いくつかの局が媒体へのアクセスで競合する場合、媒体にアクセスすることができるのは、最も短いランダム時間を有する局である。したがって、他の局は、自身の送信を延期しなければならない。
【００１２】
したがって、このバックオフ手続きは、局がランダムな時間経過した後にランダムに媒体へのアクセス権を有することを可能にする。
【００１３】
更にバックオフ手続きは、媒体がビジー状態であるときはいつでも、ランダムなバックオフ時間の間、一時停止する。これは、媒体が再び待機状態になるとすぐに再開される。
【００１４】
ランダム時間の後に媒体が待機状態である場合、局は、フレーム又は一連のフレームの交換を開始し得る。「一連のフレーム」が、例えば初期のＭＡＣデータユニットの断片、又は別々に送信されるか、若しくは独立したバーストの独立したフレームに由来する一連のより小さいＭＡＣレベルのフレームからなることには、留意されるべきである。
【００１５】
加えて、ＣＳＭＡ／ＣＡプロトコルは、最小限の指定された期間のギャップが隣接するフレーム間に存在することを保証にする。
【００１６】
このため、ＣＳＭＡ／ＣＡは、フレーム若しくはフレームシーケンスの間、及び／又はバックオフ手続きが開始する前にインターフレーム間隔（ＩＦＳ）として知られる固定された延期時間を提供する。参照によりここに組み込まれるＩＥＥＥ８０２．１１―２００７標準規格のセクション９．２．３を参照されたい。ＩＦＳの期間は、ＰＨＹにより固定される所定のものであり。参照によりここに組み込まれるＩＥＥＥ８０２．１１―２００７標準規格のセクション９．２．１０及び９．９．１．３を参照されたい。
【００１７】
ＩＥＥＥ８０２．１１標準規格において、規定されるようなＩＦＳのいくつかの実施例は、以下に与えられる。
【００１８】
短いＩＦＳ（ＳＩＦＳ）は、前のフレームの最後のシンボルの終わりから、次のフレームのプリアンブルの第一のシンボルの始まりまでの固定された時間間隔である。ＳＩＦＳは、通常、一連のフレームのうちの２つの連続したデータフレームを分離するため、又は受信データフレームを送信するＲＴＳ、ＣＴＳ又はＡＣＫフレームから分離するために使用される。
【００１９】
分散協調用ＩＦＳ（ＤＩＦＳ）は、媒体が正しくフレームを受信した後に待機状態であると一旦検出されると、局が待機する一定の時間間隔である。一度ＤＩＦＳが経過し、媒体が依然として待機状態である場合、ランダムなバックオフ時間が減少される。
【００２０】
拡張ＩＦＳ（ＥＩＦＳ）は、送信されたフレームが正しく受け取られなかった後に、媒体が待機状態であることが検出されると開始する。ＥＩＦＳは、この局が伝送を開始する前に、何が不正確に受信されたフレームかについて、他の局がこの局に応答するのに十分な時間を提供するために規定される。
【００２１】
サービスの質（ＱｏＳ）要件を備えるＬＡＮアプリケーションをサポートするため、ＭＡＣ手続きに統合するネットワークに対して、任意のＩＦＳ（ＡＩＦＳ）も規定される。ＱｏＳ要件を満たすため、無線局に対する伝送機会（ＴＸＯＰ）の割当てを含む、帯域幅管理を実行するコーディネータが導入されることは、留意されるべきである。ＴＸＯＰは、ＴＸＯＰホルダが媒体の連続的な制御を維持する期間であり、ＴＸＯＰホルダの伝送に対する即時の応答として送信されるフレームの伝送に必要な時間を含む。ＴＸＯＰは、特に、少なくとも一つのフレーム及び対応する承認から成り得る。したがって局は、ＴＸＯＰに基づいて競合する。ＴＸＯＰの所有者は、ＴＸＯＰの間、１又はそれより多くのフレームを送信する権利を有する。ＡＩＦＳは、正しく受信されたＴＸＯＰフレームの後、一旦媒体が待機状態であることを検出されると開始する固定された時間間隔である。一度ＡＩＦＳが経過し、媒体が依然として待機状態である場合、ランダムなバックオフ時間は減少される。
【００２２】
アクセス管理のＩＥＥＥ８０２．１１―２００７標準規格による例は、図１に関して挙げられ、媒体がビジー状態である時間１の後、送信局が依然として待機状態である媒体上でフレーム４を送信できるまで、一定の延期時間２（例えばＤＩＦＳ）及びランダムなバックオフ時間３が、続いてカウントダウンされる。それから、休止５の後、受信局からの承認「ＡＣＫ」６が、送信局により受信される。一旦承認「ＡＣＫ」６が受信されると、送信局は、再び延期７及びバックオフ８手続きを開始することができる。
【００２３】
アクセス管理のＩＥＥＥ８０２．１１―２００７による他の実施例は、図２に関して与えられ、媒体がビジーである時間１の後、送信局が、依然として待機状態である媒体上でＴＸＯＰ９と呼ばれる時間に１又はそれより多くのフレームを送信できるまで、一定の延期時間２（例えばＡＩＦＳ）及びランダムなバックオフ時間３が続いてカウントダウンされる。フレームの期間は、送信局により所有されるＴＸＯＰ以下である。この特定の標準規格によると、「ＡＣＫ」承認に相当するものがＴＸＯＰに含まれることに留意されるべきである。一旦、局がこのフレームを送信するか、又はＴＸＯＰ期間９が終了すると、送信局は、再び延期７及びバックオフ８手続きを開始できる。
【００２４】
８０２．１１ｓの標準規格ドラフトによるメッシュネットワークの場合、特に「メッシュ決定（Deterministic）アクセス（ＭＤＡ）」が使用され、ＴＸＯＰは、ＭＤＡ  ＴＸＯＰ（メッシュ決定アクセスＴＸＯＰ）と呼ばれる。８０２．１１ｓの標準規格ドラフトによるＭＤＡＯＰを事前に予約した局は、ＭＤＡ  ＴＸＯＰを得るために、８０２．１１―２００７の標準規格に従って前記ＣＳＭＡ／ＣＡ及びバックオフ手続きを使用する。
【００２５】
これらの周知のアクセス制御機構にもかかわらず、媒体アクセスの問題は、ノードの密度が高く、隠れたノードが存在するシステムにおいて、悪化される。
【００２６】
この種の課題がおそらく発生する主な例は、メッシュネットワーク、例えばＩＥＥＥ８０２．１１ｓ標準規格のドラフトに準拠したメッシュネットワークである。
【００２７】
図３は、メッシュ無線ネットワークにおいて、各局が異なる隣接局を有するこのような状況を図示する。ネットワークトポロジ及び環境は、局当たりの隣接局の数を決定する。ここで局「Ａ」は、単一の隣接局「Ｂ」を有する。しかしながら、局「Ｂ」は、４つの他の局（「Ａ」、「Ｃ」、「Ｄ」及び「Ｅ」）と無線媒体を共有する。隣接局の数がより少ないため、「Ａ」は、この第１隣接局の伝送のみを通知されるので、「Ｂ」よりも頻繁に無線媒体を待機状態と検出する。したがって、「Ａ」は、「Ｂ」から「Ａ」に送信するよりも、容易により多くのトラフィックを「Ｂ」に送信することができる。こうして、局「Ａ」は、容易に「Ｂ」を混雑させ得る。
【００２８】
したがって、このご都合主義的な媒体アクセスにより、８０２．１１のＭＡＣは、ネットワークの端の局に、より高い容量の割当を提供する。
【００２９】
これとは対照的に、中心の局は、つながる全ての局の集中したトラフィックを転送するので、より問い合わせ（poll）をされ、より急速にネットワークに対するボトルネックとなる。
【００３０】
これは、局密度が特に高い無線メッシュネットワークにとって、とりわけ問題となる。
【００３１】
結果として、端の局は、容易にこの隣接局を混雑させ、大量のフレームでこれらを過負荷にする。
【００３２】
それから、より高い層のプロトコルは、フレーム損失を検出し、これによって、トラフィックを制限することが必要とされる。
【発明の概要】
【発明が解決しようとする課題】
【００３３】
本発明の目的は、無線ネットワークの混雑に関するこの種の問題を解決することである。更なる目的は、経済的な手段によって、既存のシステムを大幅に変えることなく、この種の混雑の減少を実行することである。
【課題を解決するための手段】
【００３４】
したがって、第１の態様によると、本発明は、無線局が媒体を介してフレームを送信する無線ネットワークにおいて、無線局から媒体のアクセスを管理する方法に特に関連する。この方法は、（ａ）送信されるフレーム又は一連のフレームの期間の関数から生じる時間値を生成するステップと、
（ｂ）媒体を介してフレーム又は一連のフレームを送信するステップと、
（ｃ）ステップ（ｂ）の後、無線局が媒体を介した他のフレーム又は一連のフレームの送信を抑制する一方で、抑制期間がカウントダウンされるステップと
を有し、抑制期間の値は、前記時間値を考慮することにより決定される。
【００３５】
本発明の方法は、特に無線局が抑制期間の間、媒体へのアクセスを抑制することを提案し、この抑制期間は、前に送信されたデータフレーム又は一連のフレームの期間を含む、及び／又はこの期間の関数である期間（前記時間値）を含む。
【００３６】
特に関数は、時間値がフレーム又は一連のフレームの期間とともに増大するように選択され得る。
【００３７】
限定されたサイズのフレーム又は一連のフレームを送信し、したがって、対応する期間の間、媒体を占有することによって、無線局は、前のフレーム又は一連のフレームに比例し得る次の更なるフレーム又は一連のフレームを送信できなくされることによって「罰せられる」。
【００３８】
本発明による方法は、したがって、他の局よりも自身のフレームを送信するために使用される局を罰する。
【００３９】
特に本発明による方法は、メッシュネットワーク内、特にネットワークの中心の局を考慮して、ネットワークの端にある局の間に存在し得る容量の割り当ての差を低下させる。
【００４０】
特定の場合において、本発明は、前記時間値を前に送信されたデータフレーム又は一連のデータフレームの期間に固定することを提案し得る。
【００４１】
本発明の他の特定の場合において、無線局により送信されるフレーム又は一連のフレームは、最初に、少なくとも一つの他の無線局により転送されることを要求される。
【００４２】
送信無線局が、他の局にフレーム又は一連のフレームを転送するように要求することもあり得る。
【００４３】
他の局に対して代わりにデータの転送を要求することは、送信されたフレーム又は一連のフレームのサイズに比例した時間の間、媒体へのアクセスを抑制されるという送信局に対する処罰を含む。
【００４４】
加えて、これは、他の局に対して、フレーム又は一連のフレームを転送するのに十分な容量の無線媒体を罰されることなく提供する。
【００４５】
したがって、本発明は、転送する局の優先順位を提供し、こうして協調的な態様を可能にする。従来の８０２．１１のメッシュ局は、「送信して、忘れる」が、提案された方式は、次に隣の局が前の局に代わってフレームの転送を支援する。従って、付加的な混雑の通知が、必要とされない。
【００４６】
加えて、本発明は、容易に実施され得る。特に既存のハードウェアに対する大きな変更は、必要とされない。
【００４７】
第２の態様によると、本発明は、無線ネットワークの要素であり得る無線局であって、
・無線ネットワークにフレーム又は一連のフレームを送信する送信機と、
・タイミング処理ユニットと
を有し、該タイミング処理ユニットが、
・送信されるフレーム又は一連のフレームの期間に依存する時間値を生成し、
・この時間値を含む抑制時間をカウントダウンし、
・無線局に対して、媒体上で他のフレーム又は一連のフレームを送信すること抑制させ、
一方で抑制時間がカウントダウンされる、無線局を提案する。
【００４８】
第３の態様によると、本発明は、複数の前記無線局からなる無線ネットワークを提案する。
【００４９】
第４の態様によると、本発明は、前記方法を実施するためのコンピュータプログラムを提案する。
【００５０】
本発明は、例として添付の図面に関して、更に詳細に記載されるだろう。
【図面の簡単な説明】
【００５１】
【図１】図１は、既知のＩＥＥＥ８０２．１１標準規格に従い、媒体の状態に関して、送信局がどのようにこの媒体アクセスを管理するかについて図式的に示す。
【図２】図２は、既知のＩＥＥＥ８０２．１１ｅ標準規格に従い、媒体の状態に関して、送信局がどのようにこの媒体アクセスを管理するかについて図式的に示す。
【図３】図３は、メッシュ無線ネットワークの一例を示す。
【図４】図４は、本発明の第１実施例により、媒体の状態に関して、どのように送信局がこの媒体のアクセスを管理するかについて図式的に示す。
【図５】図５は、本発明の第２実施例により、媒体の状態に関して、どのように送信局がこの媒体のアクセスを管理するかについて図式的に示す。
【図６】図６は、本発明の第３実施例により、媒体の状態に関して、どのように送信局がこの媒体のアクセスを管理するかについて図式的に示す。
【図７】図７は、本発明の第４実施例により、媒体の状態に関して、どのように送信局がこの媒体のアクセスを管理するかについて図式的に示す。
【図８】図８は、図式的に局を示す。
【発明を実施するための形態】
【００５２】
本発明は、特定の実施例に関連して記載されているが、以下に記載される特定の形態に限定されることを意図されない。
【００５３】
本発明を例示するため、以下に記載される特定の実施例は、無線ネットワークにおける無線局による媒体の制御に関し、ここで局は、フレーム又は一連のフレームをある時間間隔で例えば定期的、時系列（timeically）又は非時系列（untimeically）に送信する。送信されるデータフレームの例は、予約されたタイムスロットにおけるビーコン送信又はＶＯＩＰ送信である。
【００５４】
フレームを送信するために使用される無線局、無線ネットワーク、方法又はコンピュータプログラムは、ＩＥＥＥ８０２．１１―２００７標準規格、又は８０２．１１ｓ標準規格ドラフトＤ１．０６に準拠し得、又は準拠せず、参照することにより、全てここに組み込まれる。
【００５５】
後述される「フレーム」が、ＩＥＥＥ８０２．１１―２００７標準規格において、規定されるデータフレームであり得、ＴＸＯＰに含まれる、若しくは含まれず、又はＩＥＥＥ８０２．１１ｓに規定されるＭＤＡ  ＴＸＯＰに含まれる、若しくは含まれないデータフレームであり得ることに留意されたい。フレームは、ビーコンフレームでもあり得る。以下において使用される「フレーム」は、「ＡＣＫ」フレームのような承認フレームを更に含み得る。
【００５６】
図４乃至７は、無線ネットワークを通じた媒体を介して、送信無線局「Ａ」から受信無線局「Ｂ」にフレーム又は一連のフレームを送信するための、本発明による媒体制御方法の４つの例示的な実施例を図示する。
【００５７】
図４は、媒体がビジー状態である時間１の後、一定の延期時間２（例えばＤＩＦＳ、ＥＩＦＳ又はＡＩＦＳ）及びランダムなバックオフ時間３が、局「Ａ」に含まれるタイマーによって、続いてカウントダウンされることを示す。それから局「Ａ」は、予約時間１０、例えばＴＸＯＰの間にフレーム又は一連のフレームを送信する。予約された時間１０は、「ｄ」に等しいサイズを有する。一旦フレーム又は一連のフレームが送信されると、抑制時間がタイマーによって、カウントダウンされる。この抑制時間は、連続してカウントダウンされる２つのサブタイムからなり、第１サブタイムは、「ｄ」に等しくなるように生成される連続した一定の延長期間１１であり、この一定の延長期間１１は、媒体が待機状態であると決定されるとすぐに開始する。この一定の延期時間１１は、ＩＦＳ、例えばＥＩＦＳ、ＤＩＦＳ又はＡＩＦＳであり得、それにも関わらず、ＩＥＥＥ８０２．１１―２００７標準規格において、詳述されるものとは異なって規定される期間を有する。局「Ａ」は、送信を許可されるため、この一定の延期時間１１の間、無線媒体を連続的な待機として検出しなければならない。延期時間１１の最後がカウントダウンされる前に、媒体がビジーになるとき、局は、媒体が再び待機状態になるまで停止し、待機する。一旦一定の延期時間１１が終了すると、通常のバックオフ８手続き（第２サブタイム）が開始される。バックオフ手続きの全スロットが減少される前に媒体がビジーになる場合、局は、延期時間１１の長さの待機時間の間、再び待つことを必要とされる。
【００５８】
図５は、一旦フレーム又は一連のフレームがサイズ「ｄ」の予約時間１０内で送信されると、抑制時間が局「Ａ」に含まれるタイマーによって、カウントダウンされることを示し、この抑制時間は、ここではカウントダウンされる２つの連続したサブタイムを含み、第１サブタイムは、媒体が待機状態であると決定されるとすぐに開始する、通常一定の延期時間７（例えばＤＩＦＳ、ＥＩＦＳ又はＡＩＦＳ）である。一旦、一定の延期時間７が経過すると、第２サブタイムが減少される。この第２サブタイムは、「ｄ」に等しい複数のスロットにより向上される典型的なバックオフ時間１２である。この向上は、競合ウインドウからランダムに計算されるバックオフ期間に単に「ｄ」を加えること、又はバックオフ期間が競合ウインドウからランダムに計算される前に、競合ウインドウの最大値に「ｄ」を加えることによって、なされ得る。
【００５９】
図６は、局「Ａ」がサイズ「ｄ」の予約時間１０内にフレーム又は一連のフレームを送信した後、抑制時間が局「Ａ」に含まれるタイマーによって、カウントダウンされることを示し、この抑制時間は、ここでは３つの連続してカウントダウンされるサブタイムからなり、第１サブタイムは、「ｄ」に等しくなるように生成される連続的な一定の延期時間１３であり、時間１４の間、媒体がビジー又は待機状態であったとしても、一定の延期時間１３は、カウントダウンされ続ける。すなわち、局「Ａ」の停止タイマーは、媒体の現在の状態による影響を受けないままである。一旦この一定の延期時間１３が終了すると、通常の一定の延期時間７（例えばＤＩＦＳ、ＥＩＦＳ若しくはＡＩＦＳ）及び／又はバックオフ時間８が連続してカウントダウンされる。
【００６０】
図７は、局「Ａ」がサイズ「ｄ」の予約時間１０内にフレーム又は一連のフレームを送信した後、抑制時間が、局「Ａ」に含まれるタイマーによって、カウントダウンされ、この抑制時間は、連続してカウントダウンされる以下の３つのサブタイムからなり、第１サブタイムは、「ｄ」に等しくなるように生成される中断可能な一定の延期時間１５であり、
・媒体がこの一定の延期時間１５の間、ビジー状態になる（１６）場合、一定の延期時間が停止し、局「Ａ」は、次のサブタイム７（例えば「ＤＩＦＳ」又は「ＡＩＦＳ」）のカウントダウンを開始し得、再び無線媒体が待機状態と検出された後、ランダムなバックオフ時間８が続く。
・媒体がこの一定の延期時間１５の間、待機状態のままである場合、一定の延期時間１５が終了し、通常、一定の延期時間（例えばＤＩＦＳ、ＥＩＦＳ若しくはＡＩＦＳ）及び／又はバックオフ時間８は、無線媒体が待機状態であると検出された後に続いてカウントダウンされ得る。
【００６１】
本発明の前述の実施例のうちの１つによるアクセス制御は、特にメッシュ無線ネットワーク、例えばＩＥＥＥ８０２．１１ｓ標準規格のドラフトによるメッシュ無線ネットワークに特に関連し得る。
【００６２】
特に本発明のメッシュ無線ネットワークは、隣接局「Ｂ」が、例えば局「Ａ」の要求の下で局「Ａ」の代わりにフレーム又は一連のフレームを転送することを可能にし得る。
【００６３】
時間値「ｄ」の媒体へのそのアクセスを抑制することによって、局「Ａ」は、局「Ｂ」が局「Ａ」の代わりにフレームを転送するのに充分な容量を有することを可能にする。したがって、局「Ｂ」にデータを転送するように要求することは、更なるフレームを送信する局「Ａ」に対する処罰に関する。
【００６４】
特定の場合において、前記時間値は、局「Ａ」が局「Ｂ」に対してフレーム又は一連のフレームを転送するように要求するときのみ、カウントダウンされる。
【００６５】
本発明が、サイズ「ｄ」のフレーム又は一連のフレームに等しい時間値の場合に限定されず、このサイズ「ｄ」の所定の関数の結果に等しくなるように計算される時間値の場合、例えば時間値が「ｄ」に比例する、又は「ｄ」に依存する場合にも関連することは、留意されるべきである。
【００６６】
本発明が、ＩＥＥＥ８０２．１１―２００７標準規格及び更なる補正に従うもの、又は従わないものを含めて、あらゆる種類の無線ネットワークをカバーすることに留意されるべきである。
【００６７】
図８は、本発明による局「Ａ」の一例を概略的に示し、これは、
・媒体９０を介して無線ネットワークにフレーム及び／又は一連のフレームを送信する送信機１００と、
・タイミング処理ユニット１１０と
を有し、該タイミング処理ユニットは、
・第１フレーム（又は一連のフレーム）（図示略）の期間に依存して時間値を生成し、
・時間値を含む抑制時間をカウントダウンし、
・無線局が媒体上で第２フレーム１０（又は一連のフレーム）を送信することを抑制し、
一方で抑制時間がカウントダウンされる。
【００６８】
時間値の生成は、機能を実施し得るハードウェア及び／又はソフトウェア計算機により実行され得、これは、前記第１フレーム期間を示す信号を入力し、前記時間値を出力する。この動作は、（記憶された第１フレームの期間の測定に基づいて）第１フレームが送信される前、（送信の期間のカウントに基づく）第１フレームの送信の間、又は（第１フレームの期間の測定及び／又はカウントに基づいて）一度第１フレームが送信されると実行され得る。
【００６９】
タイミング処理ユニット１２０は、時間値を考慮して、抑制時間を生成する手段を含み得る。この抑制時間は、時間値及びおそらくいくつかの他の種類の抑制サブタイム（例えばＩＦＳ及び／又はバックオフ時間）を含むように生成され得る。これらの異なる抑制サブタイムは、前記抑制時間を形成するため、連続して設定される。更に、タイミング処理ユニット１１０は、局「Ａ」が事前に他の局に第１フレームを転送するように要求する場合のみ、抑制時間に前記時間値を含むように構成され得る。
【００７０】
一旦、局「Ａ」が送信機１１０を介して第１フレーム（又は一連のフレーム）を送信すると、抑制時間のカウントダウンが、処理タイミングユニット１２０により誘発される。カウントダウンは、媒体の状態及び／又は実施される本発明の実施例に依存して、一回又は数回、中断されて実施される。（本発明の４つの例示的な実施例を図示する図４乃至７を参照されたい。）カウントダウンが行われる間、局「Ａ」は、第２フレーム１０の送信を待たなければならない。
【００７１】
一度抑制時間のカウントダウンが終わり、媒体が待機状態であると感知されると、局「Ａ」は、送信機１００を介して媒体９０上で第２フレーム又は一連のフレーム１０を送信する。この状況は、タイミング処理ユニット１１０により送信される制御信号（１３０）により閉成されるスイッチ１２０によって、概略的に図示され、第２フレーム又は一連のフレーム１０が局「Ａ」によって、媒体上を送信されることを可能にする。
【００７２】
それにもかかわらず、媒体がビジー状態であると検出されたためにカウントダウンが中断される場合、又はカウントダウンの終了時に媒体がビジー状態であると検出される場合、第２フレーム又は一連のフレーム１０の送信が、他の時間に延期され、タイミング処理ユニット１１０は、スイッチ１２０の閉成を誘発せず、すなわち、第２フレーム又は一連のフレーム１０が、媒体上を伝送されない。
【００７３】
一旦第２フレーム又は一連のフレーム１０が送信されると、タイミング処理ユニット１２０は、
・第２フレーム１０（又は一連のフレーム）の期間に依存する時間値を生成し、
・時間値を含む抑制時間をカウントダウンし、
・無線局が図示されない第３フレーム（又は一連のフレーム）を媒体上で送信するのを抑制し、
一方で抑制時間がカウントダウンされる。
【図１】
0005438005.tif 000002
【図２】
0005438005.tif 000003
【図３】
0005438005.tif 000004
【図４】
0005438005.tif 000005
【図５】
0005438005.tif 000006
【図６】
0005438005.tif 000007
【図７】
0005438005.tif 000008
【図８】
0005438005.tif 000009